(57)【要約】【課題】ＩＤカードの発行を効率化する。【解決手段】ＩＤカード作成システムにおいて、撮影装置は、ＩＤカード利用者の申請書の情報に基づいて、ＩＤカード利用者のＩＤカードの作成を中断させる中断指令を出力し、ＩＤカード発行装置は、ＩＤカードの作成の再開を指示する再開指令の入力を受け付ける入力手段を有し、撮影装置から中断指令が出力されている場合には、ＩＤカード利用者のＩＤカードの作成を中断し、再開指令の入力に応じて、ＩＤカード利用者のＩＤカードの作成を再開する。【選択図】図１
2015191328.tif 000002
【特許請求の範囲】
【請求項１】
ＩＤカード利用者の個人情報及び前記ＩＤカード利用者についてのカード発行可否情報を記憶するホストコンピュータと、
前記ホストコンピュータから前記カード発行可否情報を取得し、ＩＤカード利用者を撮影して顔画像データを生成するとともに、前記カード発行可否情報がカード発行可を示している場合に前記ホストコンピュータから前記個人情報を取得する撮影装置と、
前記撮影装置から前記顔画像データ及び前記個人情報を取得してＩＤカードを作成するＩＤカード発行装置と、を備え、
前記撮影装置は、
前記ＩＤカード利用者の申請書の情報に基づいて、前記ＩＤカード利用者のＩＤカードの作成を中断させる中断指令を出力し、
前記ＩＤカード発行装置は、
ＩＤカードの作成の再開を指示する再開指令の入力を受け付ける入力手段を有し、
前記撮影装置から前記中断指令が出力されている場合には、前記ＩＤカード利用者のＩＤカードの作成を中断し、
前記再開指令の入力に応じて、前記ＩＤカード利用者のＩＤカードの作成を再開する
ことを特徴とするＩＤカード作成システム。
【請求項２】
前記撮影装置は、前記中断指令に関する情報を表示する表示手段を有することを特徴とする請求項１に記載のＩＤカード作成システム。
【請求項３】
前記ＩＤカード発行装置は、
前記撮影装置から前記中断指令が出力されていない場合には、前記撮影装置から前記顔画像データ及び前記個人情報を取得してＩＤカードを作成する
ことを特徴とする請求項１又は２に記載のＩＤカード作成システム。
【請求項４】
前記ＩＤカード利用者の過去のＩＤカードの作成における申請書の過去情報を保持する情報保持部を、さらに備え、  
前記撮影装置は、
前記ＩＤカード利用者の申請書の情報および前記情報保持部に保持された過去情報に基づいて、前記ＩＤカード利用者のＩＤカードの作成を中断させる中断指令を出力する
ことを特徴とする請求項１から３のいずれか一項に記載のＩＤカード作成システム。
【請求項５】
前記申請書の情報は、前記ＩＤカード利用者の過去の病歴を含むことを特徴とする請求項１に記載のＩＤカード作成システム。
【請求項６】
ＩＤカード利用者の個人情報及び前記ＩＤカード利用者についてのカード発行可否情報を記憶するホストコンピュータ、撮影装置、及びＩＤカード発行装置を備えたＩＤカード作成システムを用いるＩＤカード作成方法であって、
前記撮影装置が、前記ホストコンピュータから前記カード発行可否情報を取得し、ＩＤカード利用者を撮影して顔画像データを生成するとともに、前記カード発行可否情報がカード発行可を示している場合に前記ホストコンピュータから前記ＩＤカード利用者の個人情報を取得し、前記顔画像データ及び前記個人情報を前記ＩＤカード発行装置へ出力し、前記ＩＤカード発行装置が、前記撮影装置から出力された前記個人情報及び前記顔画像データを用いてＩＤカードを作成するものであり、
前記撮影装置が、前記ＩＤカード利用者の申請書の情報に基づいて、前記ＩＤカード利用者のＩＤカードの作成を中断させる中断指令を出力している場合は、
前記ＩＤカード利用者のＩＤカードの作成を中断し、再開指令に応じて、前記ＩＤカード利用者のＩＤカードの作成を再開する
ことを特徴とするＩＤカード作成方法。
【発明の詳細な説明】
【技術分野】
【０００１】
本発明は、従業員証や身分証明書などの顔写真の入ったＩＤカードを作成するシステム及び方法に関するものである。
【背景技術】
【０００２】
近年、従業員証、入館証、資格証明証などの顔写真の入ったＩＤカードが使用されることが多い。
【０００３】
このようなＩＤカードの作成システムは、ＩＤ番号、ＩＤカード利用者の住所、氏名、生年月日、カード有効期限等の個人情報を記憶したホストコンピュータと、ホストコンピュータに個人情報を登録したり、ホストコンピュータ内の個人情報を書き換えたりする更新登録手段と、ＩＤカード利用者の顔面部位を撮影して顔画像を生成する撮影手段と、個人情報及び顔画像をカードに印字してＩＤカードを作成するＩＤカード発行装置とを備えている。
【０００４】
例えば、ＩＤカードの有効期限が迫り、利用者がＩＤカードの更新発行を行う場合、利用者はカード発行機関に更新申請書を提出する。
【０００５】
カード発行機関では、更新申請書の内容を確認し、変更がある場合は変更箇所の更新登録を行い、変更がない場合は更新登録手段で変更がないことを確認する。
【０００６】
その後、撮影手段にてＩＤ番号を入力し、更新者の個人情報を取得するとともに更新申請者を撮影して顔画像を取得する。
【０００７】
そして、撮影手段により取得された更新申請者の個人情報と顔画像とがＩＤカード発行装置に転送され、新たなＩＤカードが作成される。
【先行技術文献】
【特許文献】
【０００８】
【特許文献１】特許第３７９８９２０号公報
【発明の概要】
【発明が解決しようとする課題】
【０００９】
従来、新たなＩＤカードを作成する際、カード利用者が提出した病歴等を記載した申請書の内容に関して、内容によっては、ＩＤカードの発行が不可となる。
【００１０】
このように、従来は、申請書の内容に関して、人が申請書の内容を確認し、カード発行の可否を判断していた。
【００１１】
本発明は、このような課題を解決し得るＩＤカード作成システム及びＩＤカード作成方法を提供することを目的とする。
【課題を解決するための手段】
【００１２】
本発明の一態様によるＩＤカード作成システムは、
ＩＤカード利用者の個人情報及び前記ＩＤカード利用者についてのカード発行可否情報を記憶するホストコンピュータと、
前記ホストコンピュータから前記カード発行可否情報を取得し、ＩＤカード利用者を撮影して顔画像データを生成するとともに、前記カード発行可否情報がカード発行可を示している場合に前記ホストコンピュータから前記個人情報を取得する撮影装置と、
前記撮影装置から前記顔画像データ及び前記個人情報を取得してＩＤカードを作成するＩＤカード発行装置と、を備え、
前記撮影装置は、
前記ＩＤカード利用者の申請書の情報に基づいて、前記ＩＤカード利用者のＩＤカードの作成を中断させる中断指令を出力し、
前記ＩＤカード発行装置は、
ＩＤカードの作成の再開を指示する再開指令の入力を受け付ける入力手段を有し、
前記撮影装置から前記中断指令が出力されている場合には、前記ＩＤカード利用者のＩＤカードの作成を中断し、
前記再開指令の入力に応じて、前記ＩＤカード利用者のＩＤカードの作成を再開する
ことを特徴とする。
【００１３】
前記ＩＤカード作成システムにおいて、
前記撮影装置は、前記中断指令に関する情報を表示する表示手段を有することを特徴とする。
【００１４】
前記ＩＤカード作成システムにおいて、
前記ＩＤカード発行装置は、
前記撮影装置から前記中断指令が出力されていない場合には、前記撮影装置から前記顔画像データ及び前記個人情報を取得してＩＤカードを作成する
ことを特徴とする。
【００１５】
前記ＩＤカード作成システムにおいて、
前記ＩＤカード利用者の過去のＩＤカードの作成における申請書の過去情報を保持する情報保持部を、さらに備え、  
前記撮影装置は、
前記ＩＤカード利用者の申請書の情報および前記情報保持部に保持された過去情報に基づいて、前記ＩＤカード利用者のＩＤカードの作成を中断させる中断指令を出力する
ことを特徴とする。
【００１６】
前記ＩＤカード作成システムにおいて、
前記申請書の情報は、前記ＩＤカード利用者の過去の病歴を含むことを特徴とする。
【００１７】
本発明の一態様によるＩＤカード作成方法は、
ＩＤカード利用者の個人情報及び前記ＩＤカード利用者についてのカード発行可否情報を記憶するホストコンピュータ、撮影装置、及びＩＤカード発行装置を備えたＩＤカード作成システムを用いるＩＤカード作成方法であって、
前記撮影装置が、前記ホストコンピュータから前記カード発行可否情報を取得し、ＩＤカード利用者を撮影して顔画像データを生成するとともに、前記カード発行可否情報がカード発行可を示している場合に前記ホストコンピュータから前記ＩＤカード利用者の個人情報を取得し、前記顔画像データ及び前記個人情報を前記ＩＤカード発行装置へ出力し、前記ＩＤカード発行装置が、前記撮影装置から出力された前記個人情報及び前記顔画像データを用いてＩＤカードを作成するものであり、
前記撮影装置が、前記ＩＤカード利用者の申請書の情報に基づいて、前記ＩＤカード利用者のＩＤカードの作成を中断させる中断指令を出力している場合は、
前記ＩＤカード利用者のＩＤカードの作成を中断し、再開指令に応じて、前記ＩＤカード利用者のＩＤカードの作成を再開する
ことを特徴とする。
【発明の効果】
【００１８】
本発明によれば、ＩＤカードの発行の手続きを効率化することができる。
【図面の簡単な説明】
【００１９】
【図１】図１は、本実施形態によるＩＤカード作成システムの概略構成図である。
【図２】図２は、ＩＤカード１０の構成の一例を示す図である。
【図３】図３はＩＤカードの発行機関におけるＩＤカード利用者（申請者）の動線を示す図である。
【図４】図４は、実施形態に係るＩＤカード作成方法の一例を示すフローチャートである。
【図５】図５は、撮影装置３の表示手段に表示されるエラーダイアログの一例を示す図である。
【発明を実施するための形態】
【００２０】
以下、本発明の実施の形態を図面に基づいて説明する。
【００２１】
図１は、本実施形態によるＩＤカード作成システムの概略構成図である。
【００２２】
ＩＤカード作成システムは、ＩＤカードの新規発行も可能であるが、ここではＩＤカードの更新発行について説明する。ＩＤカードの更新発行とは、過去に作成したＩＤカードの有効期限が近付いたり、有効期限が切れたりした場合に、新たな有効期限が設定されたＩＤカードを作成することをいう。
【００２３】
図１に示すように、ＩＤカード作成システムは、ローカルホストコンピュータ１、更新登録装置２、撮影装置３、ＩＤカード発行装置４、リスト保持部５、マスタホストコンピュータ６、及び情報保持部７を備えている。
【００２４】
なお、ローカルホストコンピュータ１とマスタホストコンピュータ６とは、１つのホストコンピュータとして統合されていてもよいが本実施形態では、一例として、ローカルホストコンピュータ１とマスタホストコンピュータ６とに分けて説明している。また、リスト保持部５も省略されていてもよい。
【００２５】
ローカルホストコンピュータ１は、過去にＩＤカードを作成したＩＤカード利用者の個人情報を記憶している。この個人情報は、例えば、ＩＤ番号、氏名、住所、電話番号等である。
【００２６】
マスタホストコンピュータ６は、ＩＤカード利用者の個人情報だけでなく、ＩＤカード利用者のカード発行可否情報も記憶している。例えば、カード発行可否情報がカード発行不可を示している場合、ＩＤカード利用者はＩＤカードの更新発行を行うことができない。
【００２７】
このマスタホストコンピュータ６は、ＩＤカード利用者の個人情報が更新された（書き換えられた）場合や、照会要求を受け付けた場合に、カード発行可否情報を送信する。
【００２８】
例えば、ＩＤカードが従業員証であり、ＩＤカード利用者が退職した場合、カード発行可否情報はカード発行不可を示す。
【００２９】
また、ＩＤカードが公的な身分証明書となるものであり、ＩＤカード利用者の経歴等に問題がある場合、カード発行可否情報はカード発行不可を示す。
【００３０】
情報保持部７は、ＩＤカード利用者の過去のＩＤカードの作成時における申請書の過去情報７ａを保持する。
【００３１】
ここで、申請書の情報は、ＩＤカード利用者の過去の病歴（例えば、てんかん等の発作）を含む。
【００３２】
更新登録装置２は、ローカルホストコンピュータ１に記憶されているＩＤカード利用者の個人情報を更新する（書き換える）ことができる。
【００３３】
上述したように、マスタホストコンピュータ６は、個人情報の更新に伴いカード発行可否情報を送信する。そのため、更新登録装置２は、ローカルホストコンピュータ１に記憶されているＩＤカード利用者の個人情報を更新することで、このＩＤカード利用者についてカード発行可否情報を取得することができる。
【００３４】
また、撮影装置３は、デジタルカメラ等の撮影手段を有しており、撮影処理を実行し、ＩＤカード利用者の顔画像データを生成する。
【００３５】
この撮影装置３にはキーボードやマウス等の入力手段や、ＩＤ及びパスワードの入力画面が表示される表示手段が設けられており、オペレータが自身のＩＤ及びパスワードを入力できるようになっている。入力されたオペレータＩＤ及びパスワードが正当なものである場合、撮影装置３が利用可能な状態となる。
【００３６】
また、利用可能な状態となった撮影装置３では、入力手段を介して、ＩＤカード利用者のＩＤ番号等を入力することができる。この撮影装置３は、入力手段を介してＩＤカード利用者のＩＤ番号等の入力を受け付けると、ローカルホストコンピュータ１から、ＩＤカード利用者の個人情報を取得する。
【００３７】
また、撮影装置３は、マスタホストコンピュータ６に対して、ＩＤカード利用者のカード発行可否情報の照会要求を送信し、カード発行可否情報を取得する。
【００３８】
なお、カード発行可否情報を取得するためには、マスタホストコンピュータ６にアクセス（ログイン）するためのＩＤ及びパスワードの入力が求められる。そして、ＩＤ及びパスワードが正当なものである場合は、マスタホストコンピュータ６からカード発行可否情報を取得することができる。
【００３９】
また、マスタホストコンピュータ６へのアクセスが成功した場合、撮影装置３の入力手段から入力されたＩＤが、リスト保持部５の接続成功者リスト５ａに記録される。なお、既述のように、このリスト保持部５は、省略されていてもよい。
【００４０】
撮影装置３は、撮影処理を実行し、ＩＤカード利用者の顔画像データを生成する。
【００４１】
そして、撮影装置３は、取得したカード発行可否情報がカード発行可を示している場合は、顔画像データと、ローカルホストコンピュータ１から取得したＩＤカード利用者の個人情報とをＩＤカード発行装置４へ出力する。
【００４２】
ここで、マスタホストコンピュータ６にアクセスできない場合、撮影装置３はカード発行可否情報を取得することができない。
【００４３】
このマスタホストコンピュータ６にアクセスできない場合とは、例えば、マスタホストコンピュータ６やネットワークに障害が発生している場合や、オペレータが入力したＩＤやパスワードが正しくない場合などである。
【００４４】
このような場合、撮影装置３は、リスト保持部５の接続成功者リスト５ａを検索し、撮影装置３のオペレータＩＤが接続成功者リスト５ａに記録されているか否かを検出する。
【００４５】
オペレータＩＤが接続成功者リスト５ａに記録されている場合、すなわち、このオペレータが過去にマスタホストコンピュータ６にアクセスしたことのある正当な権限を有するオペレータである場合、撮影装置３は撮影処理を実行する。
【００４６】
これにより、オペレータがマスタホストコンピュータ６にログイン出来ない場合でも、ＩＤカード利用者を撮影することができ、ＩＤカード利用者が、後日、撮影のためにカード発行機関を再訪する手間を省くことができる。
【００４７】
なお、既述のように、リスト保持部５が省略されている場合は、上記検索に関係する動作も省略される。
【００４８】
また、撮影装置３は、ＩＤカード利用者の申請書の情報に基づいて、ＩＤカード利用者のＩＤカードの作成を中断させる中断指令を出力する。撮影装置３は、この中断指令に関する情報を表示する表示手段（図示せず）を有する。
【００４９】
なお、この申請書は、今回のＩＤカード作成時において、ＩＤカード利用者から提出されるものである。
【００５０】
撮影装置３は、ＩＤカード利用者の申請書の情報および情報保持部７に保持された過去情報７ａに基づいて、ＩＤカード利用者のＩＤカードの作成を中断させる中断指令を出力する。
【００５１】
また、ＩＤカード発行装置４は、撮影装置３からＩＤカード利用者の個人情報及び顔画像データを受け取り、個人情報及び顔画像を印字して、ＩＤカードを作成する。
【００５２】
このＩＤカード発行装置４は、ＩＤカードの作成の再開を指示する再開指令の入力を受け付ける入力手段（図示せず）を有する。
【００５３】
そして、ＩＤカード発行装置４は、撮影装置３から中断指令が出力されている場合には、ＩＤカード利用者のＩＤカードの作成を中断する。そして、ＩＤカード発行装置４は、オペレータによる入力手段を介した再開指令の入力に応じて、ＩＤカード利用者のＩＤカードの作成を再開する。
【００５４】
なお、ＩＤカード発行装置４は、撮影装置３から中断指令が出力されていない場合には、撮影装置３から顔画像データ及び個人情報を取得してＩＤカードを、中断することなく作成する。
【００５５】
ここで、図２は、ＩＤカード１０の構成の一例を示す図である。
【００５６】
例えば、ＩＤカード発行装置４は、図２に示すようなＩＣチップ１０ａを含むＩＤカード１０の表面１２に対して個人情報１２ａ及び顔画像１２ｂを印字するとともに、ＩＣチップ１０ａ内に個人情報１２ａを書き込んで、従業員証、入館証、資格証明証等のＩＤカードを作成する。ＩＤカード発行装置４は、カラー印画を行う印画部と、ＩＤカード１０のＩＣチップ１０ａに個人情報を書き込むリーダライタとを備えている。
【００５７】
リスト保持部５はマスタホストコンピュータ６とは別に設けられており、マスタホストコンピュータ６にアクセスできない場合でも、リスト保持部５にはアクセスできるようになっている。
【００５８】
なお、既述のように、リスト保持部５が省略されていてもよい。
【００５９】
ここで、図３はＩＤカードの発行機関におけるＩＤカード利用者（申請者）の動線を示す図である。
【００６０】
図３に示すように、ＩＤカードの更新発行を行うＩＤカード利用者（申請者）は、カード発行機関の受付３１に、ＩＤカードの更新発行の申請書を提出する。ＩＤカード利用者は、前回ＩＤカードを発行した時と比較して、個人情報に変更がある場合は、登録窓口３２へ行き、個人情報の更新を申請する。登録窓口３２には更新登録装置２が設けられており、オペレータが更新登録装置２を用いて、ローカルホストコンピュータ１に記憶されている個人情報を変更する。
【００６１】
前回ＩＤカードを発行した時から個人情報に変更がない場合、ＩＤカード利用者は受付３１から撮影ブース３３へ向かう。
【００６２】
また、登録窓口３２での個人情報の更新を終えたＩＤカード利用者は、撮影ブース３３へ向かう。撮影ブース３３には撮影装置３が設けられており、オペレータはＩＤカード利用者のＩＤ番号等を入力する。
【００６３】
そして、オペレータは、撮影装置３を操作して撮影処理を実行し、ＩＤカード利用者の顔画像データを生成する。顔画像データは個人情報とともにＩＤカード発行装置（図示せず）へ出力される。
【００６４】
ここで、オペレータは、ＩＤカード利用者が提出した申請書を、撮影装置３の読み取り手段（図示せず）によりスキャニングする。
【００６５】
そして、撮影装置３は、ＩＤカードの発行を自動的に行わないと判断した場合（例えば、過去にてんかん等の発作があるにチェックが入っていた場合）には、中断指令を出力するとともに、表示手段にこの中断指令に関する情報を表示する。なお、撮影装置３のオペレータが申請書を確認してＩＤカードの発行を自動的に行うかを判断し、その結果を撮影装置３に入力して撮影装置３による判断結果と比較し、判断結果が異なった場合にその旨を表示してオペレータによる再度の指示を受け付けることとしても良い。これによって、撮影装置３の読み取りミスやオペレータのミスを低減することができる。
【００６６】
オペレータは、この中断指令に関する情報を見て、担当者にその内容を伝える。そして、自動的にIDカードの発行をせずに写真撮影後に処理を一旦止めて、担当者とＩＤカード利用者との面談を実施する。
【００６７】
なお、情報保持部７が過去にチェック欄にチェックがあったなどの申請書の過去情報７ａを保持しておき、前回更新時にはチェックがあったのに今回チェックが入っていないなどの検証も自動で実施し撮影処理までに必要な業務の効率化を実施するようにしてもよい。
【００６８】
問題がない場合に、オペレータが入力手段を介して再開指令をＩＤカード発行装置置４に入力する。ＩＤカード発行装置４は、再開指令の入力に応じて、ＩＤカード利用者のＩＤカードの作成を再開する。これにより、IDカードが発行される。
【００６９】
撮影ブース３３での撮影終了後、ＩＤカード利用者は交付所３４へ行き、作製されたＩＤカードの交付を受ける。
【００７０】
また、個人情報に変更がないＩＤカード利用者は、登録窓口３２を飛ばして撮影ブース３３へ向かう。そのため、全てのＩＤカード利用者が登録窓口３２へ行く場合と比較して、更新登録装置２のオペレータの作業負担を軽減することができる。
【００７１】
次に、このようなＩＤカード作成システムを用いたＩＤカード作成方法について説明する。
【００７２】
図４は、実施形態に係るＩＤカード作成方法の一例を示すフローチャートである。なお、ここでは、更新登録装置２を用いた処理については説明を省略する。また、図５は、撮影装置３の表示手段に表示されるエラーダイアログの一例を示す図である。
【００７３】
先ず、撮影装置３の電源がオンされると、撮影装置３を利用するためのオペレータＩＤ及びパスワードの入力画面が表示される。そして、オペレータは、ＩＤ及びパスワードを入力する（ステップＳ１０１）。
【００７４】
次に、オペレータの認証処理（撮影装置３においてＩＤ及びパスワードが正当なものか否かが判断される）が行われる（ステップＳ１０２）。
【００７５】
そして、ＩＤ及びパスワードが正当なものである場合は、撮影装置３が利用可能な状態になり、ステップＳ１０３へ進む。一方、オペレータＩＤ又はパスワードが正当なものでない場合はステップＳ１０１に戻る。
【００７６】
そして、オペレータは、撮影装置３の入力手段を用いて、マスタホストコンピュータ６へのアクセスのためのＩＤ及びパスワードを入力する（ステップＳ１０３）。
【００７７】
そして、ステップＳ１０４において、マスタホストコンピュータ６へアクセスできた場合は、ステップＳ１０５へ進む。
【００７８】
一方、ステップＳ４において、マスタホストコンピュータ６へアクセスできなかった場合はステップＳ１１０へ進む。
【００７９】
例えば、マスタホストコンピュータ６に障害が発生している場合、通信障害が発生すると、ステップＳ１０３で入力したＩＤ又はパスワードが誤っている場合に、マスタホストコンピュータ６へのアクセスができなくなる。
【００８０】
既述のように、ステップＳ４においてマスタホストコンピュータ６へアクセスできた場合は、ステップＳ１０３で入力されたオペレータＩＤが、撮影装置３により、リスト保持部５の接続成功者リスト５ａに書き込まれる（ステップＳ１０５）。
【００８１】
次に、ＩＤカード利用者のＩＤを撮影装置３の入力手段を介して入力し、マスタホストコンピュータ６からカード発行可否情報を取得する（ステップＳ１０６）。
【００８２】
次に、オペレータは、ＩＤカード利用者が提出した申請書を、撮影装置３の読み取り手段（図示せず）によりスキャンイングして、申請書の情報を取得する（ステップＳ１０６ａ）。
【００８３】
そして、撮影装置３は、例えば、申請書に記載されている問診の項目のチェック欄をチェックする。
【００８４】
次に、オペレータは、撮影装置３を用いて撮影処理を実行し、ＩＤカード利用者の顔画像を生成する（ステップＳ１０７）。
【００８５】
なお、既述のように、リスト保持部５が省略されている場合、ステップＳ１０２の後、ステップＳ１０３〜Ｓ１０７を省略して、次のステップＳ１０８にステップ進む。
【００８６】
そして、ステップＳ１０８において、撮影装置３は、カード発行可否情報がカード発行可を示している場合は、ステップＳ１０８ａに進む。
【００８７】
一方、ステップＳ１０８において、カード発行可否情報がカード発行不可を示している場合は、処理を終了する。
【００８８】
そして、ステップＳ１０８ａにおいて、撮影装置３は、IDカードの発行を自動的に行ってよいか（カード作成を中断するか否か）を判断する。
【００８９】
撮影装置３は、ＩＤカードの発行を自動的に行わない（カード作成を中断する）と判断した場合（例えば、過去にてんかん等の発作があるにチェックが入っていた場合）には、中断指令を出力するとともに、表示手段にこの中断指令に関する情報を表示し、ステップＳ１０８ｂへ進む。
【００９０】
例えば、オペレータは、この中断指令に関する情報を見て、担当者にその内容を伝える。そして、自動的にIDカードの発行をせずに写真撮影後に処理を一旦止めて、担当者とＩＤカード利用者との面談を実施する。
【００９１】
一方、撮影装置３は、ＩＤカードの発行を自動的に行う（カード作成を中断しない）と判断した場合には、ステップＳ１０７で生成した顔画像と、ローカルホストコンピュータ１から取得したＩＤカード利用者の個人情報とをＩＤカード発行装置４へ出力し、ステップＳ１０９へ進む。
【００９２】
また、ステップＳ１０８ｂにおいて、既述の面談等により問題がない場合に、オペレータが入力手段を介して再開指令をＩＤカード発行装置置４に入力する。ＩＤカード発行装置４は、再開指令の入力に応じて、ＩＤカード利用者のＩＤカードの作成を再開し、ステップＳ１０９へ進む。
【００９３】
そして、ステップＳ１０９において、ＩＤカード発行装置４が、撮影装置３から受け取った顔画像及び個人情報を印字して、ＩＤカードを作製する。
【００９４】
一方、ステップＳ１１０において、撮影装置３の表示手段に、マスタホストコンピュータ６へのアクセスに失敗したことを示すエラーダイアログが表示される。例えば、図５に示すようなエラーダイアログが表示される。
【００９５】
そして、ステップＳ１１１において、オペレータＩＤ及びパスワードを再入力する場合はステップＳ１０３へ戻る。
【００９６】
また、マスタホストコンピュータ６に障害が発生していたり、通信障害が発生していたりして、マスタホストコンピュータ６にアクセスできない場合は、オペレータＩＤ及びパスワードの再入力を行わず、ステップＳ１１２へ進む。
【００９７】
また、オペレータＩＤ及びパスワードの再入力回数が所定値に達した場合、ステップＳ１１２へ進むようにしてもよい。
【００９８】
そして、ステップＳ１１２において、撮影装置３が、リスト保持部５の接続成功者リスト５ａを検索し、ステップＳ１０３で入力されたオペレータＩＤが接続成功者リスト５ａに記載されているか否かを検出する。オペレータＩＤが接続成功者リスト５ａに記載されている場合はステップＳ１１３へ進む。
【００９９】
一方、オペレータＩＤが接続成功者リスト５ａに記載されていない場合はステップＳ１０３に戻る。このとき、オペレータＩＤが接続成功者リスト５ａに記載されていないことを表示するようにしてもよい。
【０１００】
そして、ステップＳ１１３において、撮影装置３を用いて撮影処理を実行し、ＩＤカード利用者の顔画像を生成する。生成された顔画像データは、撮影装置３又はローカルホストコンピュータ１に記憶される。
【０１０１】
その後、マスタホストコンピュータ６が復旧し、又は正しいパスワードを知得したら、オペレータはマスタホストコンピュータ６にアクセスし、マスタホストコンピュータ６からカード発行可否情報を取得する。カード発行可否情報がカード発行可を示している場合、撮影装置３は、ステップＳ１１３で生成した顔画像と、ローカルホストコンピュータ１から取得したＩＤカード利用者の個人情報とをＩＤカード発行装置４へ出力する。そして、ＩＤカード発行装置４が、顔画像及び個人情報を印字して、ＩＤカードを作製する。
【０１０２】
なお、既述のように、リスト保持部５が省略されている場合、上記ステップＳ１１０〜ステップＳ１１３は省略される。
【０１０３】
このように、本実施形態によれば、撮影装置３は、ＩＤカード利用者の申請書の情報に基づいて、ＩＤカード利用者のＩＤカードの作成を中断させる中断指令を出力する。そして、ＩＤカード発行装置４は、撮影装置３から中断指令が出力されている場合には、ＩＤカード利用者のＩＤカードの作成を中断し、再開指令の入力に応じて、ＩＤカード利用者のＩＤカードの作成を再開する。また、ＩＤカード発行装置４は、撮影装置３から中断指令が出力されていない場合には、撮影装置３から顔画像データ及び個人情報を取得してＩＤカードを作成する。
【０１０４】
これにより、ＩＤカード利用者の申請書の情報に基づいて、ＩＤカード利用者に対して実施する面談等を省略することができ、カードの発行を効率化することができる。
【０１０５】
また、本実施形態によれば、マスタホストコンピュータ６に障害が発生するなどしてマスタホストコンピュータ６にアクセスできない場合であっても、撮影装置３を操作するオペレータのＩＤが接続成功者リスト５ａに記載されていた場合、すなわちこのオペレータが過去にマスタホストコンピュータ６にアクセスしたことのある正当な権限を有するオペレータである場合、撮影装置３が撮影処理を実行する。
【０１０６】
これにより、オペレータがマスタホストコンピュータ６にアクセス出来ない場合でも、ＩＤカード利用者を撮影することができ、ＩＤカード利用者が、後日、撮影のためにカード発行機関を再訪する手間を省くことができる。
【０１０７】
また、本実施形態によるＩＤカード作成システムによれば、ＩＤカード利用者に対する負担を軽減し、ＩＤカードを作成することができる。
【０１０８】
上記実施形態では、ＩＤカード作成システムは、ローカルホストコンピュータ１とマスタホストコンピュータ６の２つのホストコンピュータを備えていたが、ホストコンピュータは１つでもよい。この場合、ホストコンピュータがＩＤカード利用者の個人情報及びカード発行可否情報を記憶する。リスト保持部５の接続成功者リスト５ａには、このホストコンピュータにアクセスできた撮影装置３のオペレータのＩＤが記録される。
【０１０９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１１０】
１  ローカルホストコンピュータ
２  更新登録装置
３  撮影装置
４  ＩＤカード発行装置
５  リスト保持部
５ａ  接続成功者リスト
６  マスタホストコンピュータ
７  情報保持部
７ａ  過去情報
【図１】
2015191328.tif 000003
【図２】
2015191328.tif 000004
【図３】
2015191328.tif 000005
【図４】
2015191328.tif 000006
【図５】
2015191328.tif 000007